(57)【要約】【課題】長期間にわたって人体洗浄ノズル装置を十分にかつ安定に洗浄および除菌することができるとともに洗浄のコストおよび手間が低減された衛生洗浄装置を提供する。【解決手段】瞬間加熱装置３３の上流側の配管５２０にはスケール防止物質供給装置３４が介挿されている。スケール防止物質供給装置３４は、スケール防止剤を収容する。スケール防止剤として、リン酸化合物、アクリル酸またはアクリル酸化合物を用いる。または、スケール防止剤として、キレート物質を用いる。または、スケール防止剤として、スケール溶解剤を用いる。または、スケール防止物質供給装置３４に陽イオン交換樹脂を設ける。【選択図】        図７
2004270185.tif 000002
【特許請求の範囲】
【請求項１】
給水源から供給される洗浄水を人体に噴出する衛生洗浄装置であって、
前記洗浄水を人体に噴出する人体洗浄ノズル装置と、
前記人体洗浄ノズル装置を加熱された気体状態および／または液体状態の洗浄水で洗浄するノズル洗浄装置と、
前記ノズル洗浄装置におけるスケールの付着を防止するスケール付着防止手段とを備えたことを特徴とする衛生洗浄装置。
【請求項２】
前記スケール付着防止手段は、
前記スケールの付着を防止するスケール防止剤を前記ノズル洗浄装置に供給される洗浄水に供給するスケール防止剤供給装置を含むことを特徴とする請求項１記載の衛生洗浄装置。
【請求項３】
前記スケール防止剤は、スケールの結晶形態を変化させる結晶形態変化物質を含むことを特徴とする請求項２記載の衛生洗浄装置。
【請求項４】
前記スケール防止剤は、スケールの結晶成長を阻害する結晶成長阻害物質を含むことを特徴とする請求項２記載の衛生洗浄装置。
【請求項５】
前記スケール防止剤は、リン酸化合物、アクリル酸またはアクリル酸化合物を含むことを特徴とする請求項２記載の衛生洗浄装置。
【請求項６】
前記スケール防止剤は、リン酸カルシウムおよびリン酸カリウムを含むことを特徴とする請求項２記載の衛生洗浄装置。
【請求項７】
前記スケール防止剤は、金属イオンと反応するキレート物質を含むことを特徴とする請求項２記載の衛生洗浄装置。
【請求項８】
前記スケール防止剤は、カルシウムイオンおよびマグネシウムイオンと反応するキレート物質を含むことを特徴とする請求項２記載の衛生洗浄装置。
【請求項９】
前記スケール防止剤は、スケールを溶解するスケール溶解剤を含むことを特徴とする請求項２記載の衛生洗浄装置。
【請求項１０】
前記スケール溶解剤は、酸を含むことを特徴とする請求項９記載の衛生洗浄装置。
【請求項１１】
前記スケール付着防止手段は、
前記ノズル洗浄装置に供給される洗浄水に接触可能に設けられた陽イオン交換樹脂を含むことを特徴とする請求項１記載の衛生洗浄装置。
【請求項１２】
前記スケール付着防止手段は、
前記ノズル洗浄装置に供給される洗浄水に磁気を付与する磁気発生手段を含むことを特徴とする請求項１記載の衛生洗浄装置。
【請求項１３】
前記スケール付着防止手段は、
前記ノズル洗浄装置に供給される洗浄水に超音波を付与する超音波発生手段を含むことを特徴とする請求項１記載の衛生洗浄装置。
【発明の詳細な説明】
【０００１】
【発明の属する技術分野】
本発明は、給水源から供給される洗浄水を人体に噴出する衛生洗浄装置に関する。
【０００２】
【従来の技術】
従来より、人体の局部を洗浄するための人体洗浄ノズルを備えた衛生洗浄装置が広く知られている。この衛生洗浄装置は、洗浄水を人体洗浄ノズルに供給し、この人体洗浄ノズルから洗浄水を局部に向けて噴出するという構成を有している。
【０００３】
このような衛生洗浄装置においては、洗浄時に人体洗浄ノズルの先端部が局部に接近して洗浄水を噴出する。そのため、人体洗浄ノズルが洗浄の際に汚水や汚物を浴びやすく、人体洗浄ノズルの先端部を洗浄する必要がある。
【０００４】
そこで、人体の局部の洗浄の際に汚れた人体洗浄ノズルを洗浄するために、ノズル洗浄装置を備えた衛生洗浄装置が開発されている。この場合、局部の洗浄後に、人体洗浄ノズルに水を噴出することにより人体洗浄ノズルが洗浄される。
【０００５】
しかしながら、水の噴出では人体洗浄ノズルの汚れを十分に除去することが困難であり、除菌効果も得られない。そのため、薬液を用いて人体洗浄ノズルを洗浄することも提案されている（例えば、特許文献１参照）。
【０００６】
【特許文献１】
特開平８−９３０３４号公報
【０００７】
【発明が解決しようとする課題】
しかしながら、薬液を用いて人体洗浄ノズルを洗浄する場合には、薬液のコストがかかるとともに、薬液を補充する手間も発生する。
【０００８】
本発明の目的は、長期間にわたって人体洗浄ノズル装置を十分にかつ安定に洗浄および除菌することができるとともに洗浄のコストおよび手間が低減された衛生洗浄装置を提供することである。
【０００９】
【課題を解決するための手段】
従来の課題を解決するために、本発明の衛生洗浄装置は、洗浄水を人体に噴出する人体洗浄ノズル装置と、人体洗浄ノズル装置を加熱された気体状態および／または液体状態の洗浄水で洗浄するノズル洗浄装置と、ノズル洗浄装置におけるスケールの付着を防止するスケール付着防止手段とを備えたものである。
【００１０】
本発明に係る衛生洗浄装置においては、洗浄水が人体洗浄ノズル装置により人体に噴出される。また、ノズル洗浄装置により加熱された気体状態および／または液体状態の洗浄水で人体洗浄ノズル装置が洗浄される。さらに、スケール付着防止手段によりノズル洗浄装置におけるスケールの付着が防止される。
【００１１】
このように、加熱された気体状態および／または液体状態の洗浄水で人体洗浄ノズル装置が洗浄されるので、人体洗浄ノズル装置に付着した汚れが容易に除去されるとともに、除菌効果が得られる。
【００１２】
また、ノズル洗浄装置におけるスケールの付着が防止されるので、加熱された気体状態および／または液体状態の洗浄水の生成効率の低下が防止される。それにより、長期間にわたって加熱された気体状態および／または液体状態の洗浄水を安定に生成することができる。さらに、洗浄水のコストがかからず、洗浄水の補充のための手間もかからない。
【００１３】
【発明の実施の形態】
請求項１に記載の発明は、給水源から供給される洗浄水を人体に噴出する衛生洗浄装置であって、洗浄水を人体に噴出する人体洗浄ノズル装置と、人体洗浄ノズル装置を加熱された気体状態および／または液体状態の洗浄水で洗浄するノズル洗浄装置と、ノズル洗浄装置におけるスケールの付着を防止するスケール付着防止手段とを備えたものである。
【００１４】
本発明に係る衛生洗浄装置においては、洗浄水が人体洗浄ノズル装置により人体に噴出される。また、ノズル洗浄装置により加熱された気体状態および／または液体状態の洗浄水で人体洗浄ノズル装置が洗浄される。さらに、スケール付着防止手段によりノズル洗浄装置におけるスケールの付着が防止される。
【００１５】
このように、加熱された気体状態および／または液体状態の洗浄水で人体洗浄ノズル装置が洗浄されるので、人体洗浄ノズル装置に付着した汚れが容易に除去されるとともに、除菌効果が得られる。
【００１６】
また、ノズル洗浄装置におけるスケールの付着が防止されるので、加熱された気体状態および／または液体状態の洗浄水の生成効率の低下が防止される。それにより、長期間にわたって加熱された気体状態および／または液体状態の洗浄水を安定に生成することができる。さらに、洗浄水のコストがかからず、洗浄水の補充のための手間もかからない。
【００１７】
したがって、長期間にわたって人体洗浄ノズル装置を十分にかつ安定に洗浄および除菌することができるとともに洗浄および除菌のためのコストおよび手間が低減される。
【００１８】
請求項２に記載の発明は、請求項１に記載の衛生洗浄装置の構成において、スケール付着防止手段は、スケールの付着を防止するスケール防止剤をノズル洗浄装置に供給される洗浄水に供給するスケール防止剤供給装置を含むものである。
【００１９】
この場合、ノズル洗浄装置に供給される洗浄水にスケール防止剤供給装置によりスケール防止剤が供給される。それにより、自動的にノズル洗浄装置におけるスケールの付着が防止される。
【００２０】
請求項３に記載の発明は、請求項２に記載の衛生洗浄装置の構成において、スケール防止剤は、スケールの結晶形態を変化させる結晶形態変化物質を含むものである。
【００２１】
この場合、結晶形態変化物質により洗浄水中のスケールの結晶形態が変化することにより、スケールの沈着が防止され、ノズル洗浄装置におけるスケールの付着が防止される。
【００２２】
請求項４に記載の発明は、請求項２に記載の衛生洗浄装置の構成において、スケール防止剤は、スケールの結晶成長を阻害する結晶成長阻害物質を含むものである。
【００２３】
この場合、結晶成長阻害物質により洗浄水中のスケールの結晶成長が阻害されることにより、スケールの沈着が防止され、ノズル洗浄装置におけるスケールの付着が防止される。
【００２４】
請求項５に記載の発明は、請求項２に記載の衛生洗浄装置の構成において、スケール防止剤は、リン酸化合物、アクリル酸またはアクリル酸化合物を含むものである。
【００２５】
この場合、リン酸化合物、またはアクリル酸化合物により洗浄水中のスケールの結晶形態が変化するとともに結晶成長が阻害されることにより、スケールの沈着が防止され、ノズル洗浄装置におけるスケールの付着が防止される。
【００２６】
請求項６に記載の発明は、請求項２に記載の衛生洗浄装置の構成において、スケール防止剤は、リン酸カルシウムおよびリン酸カリウムを含むものである。
【００２７】
この場合、リン酸カルシウムおよびリン酸カリウムにより洗浄水中のスケールの結晶形態が変化するとともに結晶成長が阻害されることにより、スケールの沈着が防止され、ノズル洗浄装置におけるスケールの付着が防止される。特に、スケールの付着防止の効果が長期間持続する。
【００２８】
請求項７に記載の発明は、請求項２に記載の衛生洗浄装置の構成において、スケール防止剤は、金属イオンと反応するキレート物質を含むものである。
【００２９】
この場合、キレート物質がスケール中の金属イオンと反応することにより、スケールが除去される。その結果、ノズル洗浄装置におけるスケールの付着が防止される。
【００３０】
請求項８に記載の発明は、請求項２に記載の衛生洗浄装置の構成において、スケール防止剤は、カルシウムイオンおよびマグネシウムイオンと反応するキレート物質を含むものである。
【００３１】
この場合、キレート物質がスケールの主成分であるカルシウムイオンおよびマグネシウムイオンと反応することにより、スケールが十分に除去される。その結果、ノズル洗浄装置におけるスケールの付着が十分に防止される。
【００３２】
請求項９に記載の発明は、請求項２に記載の衛生洗浄装置の構成において、スケール防止剤は、スケールを溶解するスケール溶解剤を含むものである。
【００３３】
この場合、スケール溶解剤によりスケールが溶解されることにより、スケールが除去される。それにより、ノズル洗浄装置におけるスケールの付着が防止される。また、加熱によりスケール溶解剤とスケール成分との反応が促進され、スケールの除去効果が高くなる。
【００３４】
請求項１０に記載の発明は、請求項９に記載の衛生洗浄装置の構成において、スケール溶解剤は、酸を含むものである。
【００３５】
この場合、酸によりスケールが溶解されることにより、スケールが除去される。それにより、ノズル洗浄装置におけるスケールの付着が十分に防止される。また、酸によりスケール成分以外の成分も溶解されることにより、他の不要成分が除去される。
【００３６】
請求項１１に記載の発明は、請求項１に記載の衛生洗浄装置の構成において、スケール付着防止手段は、ノズル洗浄装置に供給される洗浄水に接触可能に設けられた陽イオン交換樹脂を含むものである。
【００３７】
この場合、陽イオン交換樹脂によりスケールの主成分である金属イオンが洗浄水から除去されるので、高いスケール除去能力が得られる。また、洗浄水の着色が防止される。
【００３８】
請求項１２に記載の発明は、請求項１に記載の衛生洗浄装置の構成において、スケール付着防止手段は、ノズル洗浄装置に供給される洗浄水に磁気を付与する磁気発生手段を含むものである。
【００３９】
ノズル洗浄装置に供給される洗浄水に磁気が付与されることにより、スケールの主成分であるカルシウムイオンおよびマグネシウムイオンの同極性のイオン同士が集合して流れるイオン分流が発生する。この場合、イオンが濃縮され、イオンの衝突が促進される。それにより、イオンの凝集および沈殿作用が促進される。したがって、自動的にノズル洗浄装置におけるスケールの付着が防止される。磁気発生手段は、半永久的に動作するので、メンテナンスが不要となる。
【００４０】
請求項１３に記載の発明は、請求項１に記載の衛生洗浄装置の構成において、スケール付着防止手段は、ノズル洗浄装置に供給される洗浄水に超音波を付与する超音波発生手段を含むものである。
【００４１】
この場合、ノズル洗浄装置に供給される洗浄水に超音波が付与されることにより、キャビテーションにより洗浄水中の炭酸イオンが気化される。それにより、スケールの発生が防止され、自動的にノズル洗浄装置におけるスケールの付着が防止される。超音波発生手段は、半永久的に動作するので、メンテナンスが不要となる。
【００４２】
【実施例】
以下、本発明の実施例について、図面を参照しながら説明する。
【００４３】
（第１の実施例）
図１は本発明の一実施例に係る衛生洗浄装置を便器に装着した状態を示す斜視図である。
【００４４】
図１に示すように、便器６００上に衛生洗浄装置１００が装着される。タンク７００は、水道配管に接続されており、便器６００内に洗浄水を供給する。
【００４５】
衛生洗浄装置１００は、本体部２００、遠隔操作装置３００、便座部４００および蓋部５００により構成される。
【００４６】
本体部２００には、便座部４００および蓋部５００が開閉自在に取り付けられる。さらに、本体部２００には、ノズル部３０を含む洗浄水供給機構が設けられるとともに、制御部４が内蔵されている。本体部２００の制御部４は、後述するように遠隔操作装置３００により送信される信号に基いて、洗浄水供給機構を制御する。さらに、本体部２００の制御部４は、便座部４００に内蔵されたヒータ（図示せず）、本体部２００に設けられた脱臭装置（図示せず）および温風供給装置（図示せず）等の制御も行う。
【００４７】
次に、図２は図１の遠隔操作装置３００の一例を示す模式的平面図である。
図２に示すように、遠隔操作装置３００は、表示パネル３０１、調整スイッチ３０２、おしりスイッチ３０３、停止スイッチ３０５、ビデスイッチ３０６、乾燥スイッチ３０７、ノズル洗浄スイッチ３０９、スピーカ３１０、ＬＥＤ（発光ダイオード）３１１およびチャイルドロックスイッチ３１２を備える。
【００４８】
使用者により調整スイッチ３０２、おしりスイッチ３０３、停止スイッチ３０５、ビデスイッチ３０６、乾燥スイッチ３０７、ノズル洗浄スイッチ３０９およびチャイルドロックスイッチ３１２が押下操作される。それにより、遠隔操作装置３００は、後述する衛生洗浄装置１００の本体部２００に設けられた制御部４に所定の信号を無線送信する。本体部２００の制御部４は、遠隔操作装置３００より無線送信される所定の信号を受信し、洗浄水供給機構等を制御する。
【００４９】
例えば、使用者が、おしりスイッチ３０３またはビデスイッチ３０６を押下操作することにより図１の本体部２００のノズル部３０が移動して洗浄水が噴出する。停止スイッチ３０５を押下操作することによりノズル部３０からの洗浄水の噴出が停止する。
【００５０】
また、チャイルドロックスイッチ３１２を押下操作することにより、遠隔操作装置３００から後述の制御部に送信される所定の信号が無効とされる。ノズル洗浄スイッチ３０９を押下操作することにより、本体部２００のノズル部３０の洗浄が行われる。この洗浄の詳細については後述する。乾燥スイッチ３０７を押下操作することにより人体の局部に対して衛生洗浄装置１００の温風供給装置（図示せず）より温風が噴出される。
【００５１】
調整スイッチ３０２は水勢調整スイッチ３０２ａ，３０２ｂを含む。使用者が、水勢調整スイッチ３０２ａ，３０２ｂを押下操作することにより、ノズル部３０より噴出される洗浄水の圧力が変化する。また、水勢調整スイッチ３０２ａ，３０２ｂの押下操作に伴って表示パネル３０１の棒グラフ状の点灯表示が変化する。
【００５２】
以下、本発明の一実施例に係る衛生洗浄装置１００の本体部２００について説明を行う。図３は本発明の一実施例に係る衛生洗浄装置１００の本体部２００の構成を示す模式図である。
【００５３】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ，１２ｃ、ポンプ１３、切替弁１４、瞬間加熱装置３３、スケール防止物質供給装置３４およびノズル部３０を含む。また、ノズル部３０は、おしりノズル１、ビデノズル２およびノズル洗浄用ノズル３を含み、瞬間加熱装置３３は、サーミスタ３３ａ、サーミスタ３３ｂおよび温度ヒューズ（図示せず）を備える。
【００５４】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００５５】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００５６】
また、ポンプ１３と切替弁１４との間にはリリーフ管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。
【００５７】
一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００５８】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００５９】
続いて、熱交換器１１は、制御部４により与えられる制御信号に基づいて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００６０】
ポンプ１３は、熱交換器１１により加熱された洗浄水を制御部４により与えられる制御信号に基づいて、切替弁１４に圧送する。切替弁１４は、制御部４により与えられる制御信号に基づいて、ノズル部３０のおしりノズル１、ビデノズル２および瞬間加熱装置３３のいずれか１つに洗浄水を供給する。瞬間加熱装置３３に供給される洗浄水はスケール防止物質供給装置３４を経由する。スケール防止物質供給装置３４の詳細については後述する。
【００６１】
ノズル部３０のおしりノズル１またはビデノズル２に洗浄水が供給された場合、おしりノズル１またはビデノズル２より洗浄水が噴出される。一方、瞬間加熱装置３３に洗浄水が供給された場合、瞬間加熱装置３３により洗浄水が加熱され、加熱された洗浄水または加熱により発生した蒸気がノズル洗浄用ノズル３に供給される。温度センサ１２ｃは、ノズル洗浄用ノズル３に供給される蒸気および温水の温度を測定し、制御部４に温度測定値を与える。
【００６２】
以下、瞬間加熱装置３３により加熱された洗浄水をノズル洗浄用高温水と呼び、瞬間加熱装置３３の加熱により発生する蒸気をノズル洗浄用蒸気と呼ぶ。
【００６３】
ノズル洗浄用ノズル３からノズル洗浄用高温水またはノズル洗浄用蒸気がおしりノズル１またはビデノズル２に噴出される。なお、瞬間加熱装置３３においては、サーミスタ３３ａ、サーモスタット３３ｂおよび温度ヒューズにより洗浄水の過熱が防止される。
【００６４】
おしりノズル１およびビデノズル２より噴出される洗浄水の流量ならびにノズル洗浄用ノズル３より噴出されるノズル洗浄用高温水およびノズル洗浄用蒸気の流量は、切替弁１４により調整される。
【００６５】
制御部４は、図１の遠隔操作装置３００から無線送信される信号、流量センサ１０から与えられる測定流量値および温度センサ１２ａ，１２ｂ，１２ｃから与えられる温度測定値に基づき止水電磁弁９、熱交換器１１、ポンプ１３、切替弁１４および瞬間加熱装置３３に対して制御信号を与える。
【００６６】
図４は、ノズル部３０の一部を示す外観斜視図である。図４においては、円筒形状を有するおしりノズル１とビデノズル２とが隣接するように平行に設けられており、おしりノズル１およびビデノズル２の先端上部を覆うようにノズル洗浄用ノズル３が取り付けられている。
【００６７】
ノズル洗浄用ノズル３の後端にはチューブ３ｔが接続されており、チューブ３ｔは瞬間加熱装置３３の排出口５１２に接続される。これにより、瞬間加熱装置３３からノズル洗浄用高温水またはノズル洗浄用蒸気がチューブ３ｔを通じてノズル洗浄用ノズル３に供給される。
【００６８】
図５はおしりノズルから人体の被洗浄面に向けて洗浄水が噴出される場合のノズル部の模式的断面図であり、図６はノズル洗浄用ノズルからノズル洗浄用高温水またはノズル洗浄用蒸気が噴出される場合のノズル部の模式的断面図である。
【００６９】
図５および図６において、ノズル部３０は、その全体または一部が本体部２００のケーシング内に収容されている。
【００７０】
以下、おしりノズル１による人体の局部の洗浄をおしり洗浄と呼ぶ。
おしりノズル１は、ピストン２０、シリンダ２１およびスプリング２３から構成されている。シリンダ２１の後端面には洗浄水入口２４ａが設けられ、側部には洗浄水入口２４ｂが設けられている。ピストン２０の内部には第１の流路２０ａおよび第２の流路２０ｂが形成され、ピストン２０の先端部の上面には噴出孔２５が設けられている。
【００７１】
おしり洗浄の開始時にシリンダ２１の洗浄水入口２４ｂから洗浄水が供給される。これにより、図５に示すように、シリンダ２１内に設けられたピストン２０がスプリング２３の弾性力に抗して本体部２００のケーシング外部へ突出する。
【００７２】
その後、シリンダ２１の洗浄水入口２４ａ，２４ｂから洗浄水が供給される。これにより、洗浄水入口２４ａから供給された洗浄水がピストン２０の第１の流路２０ａへ導入され、回転力が与えられつつ噴出孔２５より噴出される。また、洗浄水入口２４ｂから供給された洗浄水がピストン２０の第２の流路２０ｂへ導入され、噴出孔２５より噴出される。
【００７３】
このように、第１の流路２０ａから噴出孔２５へ送られる洗浄水には回転力が与えられるので、噴出孔２５から人体の被洗浄面に向けて噴出される洗浄水は広がり角度を有する。上述の切替弁１４を用いて第１の流路２０ａ内の洗浄水の流量と第２の流路２０ｂ内の洗浄水の流量との比を調整することにより、噴出孔２５から噴出される洗浄水の広がり角度を調整することができる。
【００７４】
おしり洗浄の終了時においては、シリンダ２１の洗浄水入口２４ａ，２４ｂへの洗浄水の供給が停止される。それにより、図６に示すように、ピストン２０がスプリング２３の弾性力によりシリンダ２１内に収納される。この場合、ピストン２０は、スプリング２３の弾性力によりシリンダ２１内に収納された状態で保持されるので本体部２００から突出しない。
【００７５】
ノズル洗浄用ノズル３の後端面には洗浄水入口２４ｃが設けられ、おしりノズル１の噴出孔２５および上述のビデノズル２の噴出孔と対向するようにノズル洗浄用ノズル３の先端下面側にノズル洗浄孔２４ｄが設けられている。ノズル洗浄用ノズル３の内部には、洗浄水入口２４ｃとノズル洗浄孔２４ｄとを連通する流路２４ｅが形成されている。上述のように、洗浄水入口２４ｃはチューブ３ｔ（図４）を介して瞬間加熱装置３３の排出口５１２に接続される。
【００７６】
ノズル洗浄時においては、瞬間加熱装置３３からノズル洗浄用ノズル３の洗浄水入口２４ｃにノズル洗浄用高温水またはノズル洗浄用蒸気が供給される。それにより、図６に示すようにノズル洗浄用高温水またはノズル洗浄用蒸気が、流路２４ｅを通じてノズル洗浄孔２４ｄから矢印Ｊ１の方向に噴出される。
【００７７】
ノズル洗浄用ノズル３のノズル洗浄孔２４ｄから噴出されるノズル洗浄用高温水またはノズル洗浄用蒸気は、おしりノズル１の噴出孔２５およびビデノズル２の噴出孔の周辺に噴出される。それにより、ノズル１の噴出孔２５またはビデノズル２の噴出孔の周囲に付着した汚れがノズル洗浄用高温水またはノズル洗浄用蒸気により剥離され、便器６００内に流される。その結果、おしりノズル１の噴出孔２５およびビデノズル２の噴出孔の周辺の洗浄および除菌が行われる。
【００７８】
図７は、瞬間加熱装置３３の構造を示す一部切り欠き断面図である。図７において、瞬間加熱装置３３は、ケーシング５０４、シーズヒータ５０５、熱伝導体５０６、配管５１０、サーミスタ３３ａ、サーモスタット３３ｂおよび温度ヒューズ３３ｃを含む。
【００７９】
ケーシング５０４は略直方体形状を有する。ケーシング５０４内には配管５１０とシーズヒータ５０５とが長手方向に延びるように所定の間隔をおいて併設されており、各々の両端部はケーシング５０４の両端面から外部へ突出している。ここで、配管５１０の一端側を瞬間加熱装置３３の上流側とし、配管５１０の他端側を瞬間加熱装置３３の下流側とする。配管５０１の一端は、図３の切替弁１４に接続された配管５２０に接続されている。
【００８０】
瞬間加熱装置３３の上流側の配管５２０にはスケール防止物質供給装置３４が介挿されている。スケール防止物質供給装置３４は、スケール防止剤を収容する。
【００８１】
ケーシング５０４内において、配管５１０およびシーズヒータ５０５は熱伝導体５０６に覆われている。シーズヒータ５０５は電熱線を内蔵し、電力が供給されることにより発熱する。
【００８２】
上述のノズル洗浄時においては、切替弁１４により洗浄水が給水口５１１から配管５１０内へ導入される。
【００８３】
シーズヒータ５０５に電力が供給されると、シーズヒータ５０５により発生する熱が熱伝導体５０６を通じて配管５１０に伝達される。これにより、配管５１０内に導入された洗浄水が加熱され、ノズル洗浄用高温水またはノズル洗浄用蒸気が排出口５１２から排出される。
【００８４】
サーミスタ３３ａおよびサーモスタット３３ｂは瞬間加熱装置３３の下流側に設けられている。また、温度ヒューズ３３ｃはケーシング５０４の側面に設けられている。
【００８５】
なお、本実施例において、サーミスタ３３ａ、サーモスタット３３ｂおよび温度ヒューズ３３ｃは、各々動作基準温度が異なる。それにより、３段階の過熱防止の調整を行うことができる。さらに、サーミスタ３３ａ、サーモスタット３３ｂおよび温度ヒューズ３３ｃの、いずれか１つが故障しても、残りの２つにより過熱が防止される。
【００８６】
サーミスタ３３ａは、シーズヒータ５０５に取り付けられ、シーズヒータ５０５の温度を検知する。制御部４は、サーミスタ３３ａから与えられるシーズヒータ５０５の温度を判定し、過熱状態にある場合、シーズヒータ５０５の温度を低下させるように制御を行う。
【００８７】
サーモスタット３３ｂは、配管５１０内を流通する洗浄水の温度を検知可能に取り付けられる。配管５１０内を流通する洗浄水の温度がサーモスタット３３ｂの動作基準温度を超過した場合、サーモスタット３３ｂは、シーズヒータ５０５の電力供給を遮断するように動作する。
【００８８】
最後に、温度ヒューズ３３ｃは、ケーシング５０４に密着固定されている。ケーシング５０４の温度が温度ヒューズ３３ｃの動作基準温度を超過した場合、温度ヒューズ３３ｃが溶断することによりシーズヒータ５０５への電力供給が遮断される。
【００８９】
以上のサーミスタ３３ａ、サーモスタット３３ｂおよび温度ヒューズ３３ｃの働きにより、シーズヒータ５０５による洗浄水の過熱およびシーズヒータ５０５自体の過熱が防止される。
【００９０】
なお、本実施例に係る瞬間加熱装置３３においては、洗浄水の加熱手段としてシーズヒータ５０５を用いるが、これに限らず、マイカヒータ、セラミックヒータ、またはプリントヒータ等を用いてもよい。
【００９１】
さらに、サーミスタ３３ａ、サーモスタット３３ｂおよび温度ヒューズ３３ｃの各々が瞬間加熱装置３３の過熱を防止しているが、サーミスタ３３ａまたはサーモスタット３３ｂを制御部４と接続することにより、制御部４がサーミスタ３３ａまたはサーモスタット３３ｂの温度測定値に基づいてシーズヒータ５０５の温度をフィードバック制御またはフィードフォワード制御してもよい。
【００９２】
スケール防止剤として、リン酸化合物、アクリル酸またはアクリル酸化合物を用いることができる。リン酸化合物としては、リン酸カルシウム、リン酸カリウム、ヘキサメタリン酸、トリポリリン酸アルミニウム−カルシウム、トリポリリン酸アルミニウム−マグネシウム、ピロリン酸マグネシウム、メタリン酸カルシウム、またはカルシウムメタリン酸ナトリウム等のうち一種を用いてもよく、または二種以上の混合物を用いてもよい。
【００９３】
アクリル酸化合物としては、アクリル酸−マレイン酸共重合化合物等を用いることができる。
【００９４】
このように、洗浄水にリン酸化合物、アクリル酸またはアクリル化合物を供給することにより、洗浄水中のスケールの結晶形態が変化するとともに結晶成長が阻害される。それにより、スケールの沈着が防止され、瞬間加熱装置３３の配管５１０の壁面へのスケールの付着を防止することができる。
【００９５】
特に、リン酸カルシウムおよびリン酸カリウムの混合物を用いることが好ましい。この場合、スケールの付着防止の効果が長期間持続する。
【００９６】
また、スケール防止剤として、キレート物質を用いてもよい。キレート物質としては、エチレンジアミン四酢酸、ヒドトエチルエチレンジアミン三酢酸、ジヒドロキシルエチレンジアミン二酢酸、１，３プロパンジアミン四酢酸、トリエチレンテトラミン六酢酸、ニトリロ三酢酸、またはグルコン酸等のうち一種または二種以上を用いることができる。
【００９７】
この場合、キレート物質がスケール中の金属イオンと反応することにより、スケールが除去される。その結果、瞬間加熱装置３３の配管５１０の壁面におけるスケールの付着が防止される。
【００９８】
また、スケール防止剤として、スケール溶解剤を用いてもよい。スケール溶解剤としては、クエン酸、塩酸、酢酸、または硝酸等を用いることができる。
【００９９】
この場合、スケールが溶解され、スケールが除去される。これにより、瞬間加熱装置３３の配管５１０の壁面におけるスケールの付着が防止される。また、スケール溶解剤によりスケール成分以外の不要成分も溶解される。それにより、不要成分であるナトリウムイオンおよびカリウムイオンも除去することができる。
【０１００】
なお、スケール防止物質供給装置３４の近傍にヒータを設けて加熱してもよい。それにより、スケール溶解剤とスケール成分との反応が促進され、スケールの除去効果が高くなる。
【０１０１】
以上のように、瞬間加熱装置３３に供給される洗浄水にスケール防止物質供給装置３４によりスケール防止剤が供給される。それにより、自動的に瞬間加熱装置３３の配管５１０の壁面におけるスケールの付着が防止される。
【０１０２】
さらに、スケール防止物質供給装置３４にスケール防止剤の代わりにまたはスケール防止剤に加えて陽イオン交換樹脂を設けることにより、洗浄水に陽イオン交換樹脂を接触させてもよい。この場合、スケールの主成分であるカルシウムイオン、マグネシウムイオン等の金属イオンが洗浄水から除去されるので、高いスケール除去能力が得られる。また、洗浄水の着色が防止される。陽イオン交換樹脂としては、例えば、強酸性型陽イオン交換樹脂ナトリウム型を用いることができる。
【０１０３】
（第２の実施例）
図８は本発明の第２の実施例に係る衛生洗浄装置の一部の概略斜視図である。
【０１０４】
図８に示すように、本発明の第１の実施例と異なる点は、配管５１０にスケール防止物質供給装置３４の代わりにまたはスケール防止物質供給装置３４に加えて、垂直磁場発生磁石５１４ａおよび水平磁場発生磁石５１４ｂが設けられている点である。
【０１０５】
垂直磁場発生磁石５１４ａは、垂直磁場を発生し、水平磁場発生磁石５１４ｂは、水平磁場を発生する。なお、垂直磁場発生磁石５１４ａおよび水平磁場発生磁石５１４ｂは、電磁石からなり、コイル（図示せず）に通電することにより磁場を発生させる。
【０１０６】
それにより、配管５１０内を流れる洗浄水中のカルシウムイオン、マグネシウムイオン等に磁気を作用させることができる。
【０１０７】
また、垂直磁場発生磁石５１４ａおよび水平磁場発生磁石５１４ｂの両方を用いることにより、それぞれの磁気の無作用範囲を補うことができる。それにより、配管５１０内を流れる洗浄水中の全体に磁気を作用させることができる。
【０１０８】
以上のように、配管５１０内を流れる洗浄水に磁気を作用させることにより、配管５１０内において、同極性のイオン同士が集合して流れるイオン分流が発生する。この場合、イオンが濃縮され、イオンの衝突が促進される。それにより、イオンの凝集および沈殿作用が促進される。したがって、スケールが配管５１０の壁面に生じることなく、イオンの凝集物が、瞬間加熱装置３３の下流側に流れる。これにより、自動的に瞬間加熱装置３３の配管５１０の壁面におけるスケールの付着が防止される。
【０１０９】
また、垂直磁場発生磁石５１４ａおよび水平磁場発生磁石５１４ｂは、半永久的に動作するので、メンテナンスが不要となる。
【０１１０】
なお、垂直磁場発生磁石５１４ａおよび水平磁場発生磁石５１４ｂをそれぞれアクチュエータ（図示せず）により配管５１０の外周面の周りに回動可能に設けてもよい。
【０１１１】
また、垂直磁場発生磁石５１４ａおよび水平磁場発生磁石５１４ｂを配管５１０の軸方向に往復移動させてもよい。それにより、イオン分流をより効果的に発生させることができる。これにより、配管５１０の壁面におけるスケールの付着をより効果的に防止することができる。
【０１１２】
また、垂直磁場発生磁石５１４ａおよび水平磁場発生磁石５１４ｂとして永久磁石を用いてもよい。この場合、電力の供給を不要にすることができる。
【０１１３】
（第３の実施例）
図９は本発明の第３の実施例に係る衛生洗浄装置の一部の模式図である。
【０１１４】
図９に示すように、第３の実施例が第１の実施例と異なる点は、配管５１０にスケール防止物質供給装置３４の代わりにまたはスケール防止物質供給装置３４に加えて、超音波振動子Ｓが設けられている点である。
【０１１５】
超音波振動子Ｓに共振周波数を有する交流電圧を与えると、共振現象により強い超音波が発生する。超音波振動子Ｓにより発生した超音波は分散することなく振動面に直角の方向に伝播する。
【０１１６】
そこで、超音波振動子Ｓを配管５１０の屈折部分に設けることにより洗浄水の送流方向に超音波を伝播させる。それにより、洗浄水中に細かい気泡（以下、キャビテーションと呼ぶ）が発生する。
【０１１７】
超音波により洗浄水中に発生したキャビテーションは、スケールの原因である洗浄水中の炭酸イオンを気化させる。それにより、スケールの発生が防止され、自動的に瞬間加熱装置３３の配管５１０の壁面におけるスケールの付着を防止することができる。また、超音波振動子Ｓは、半永久的に動作するので、メンテナンスが不要となる。
【０１１８】
上記の第１、第２および第３の実施例においては、おしりノズル１およびビデノズル２が人体洗浄ノズル装置に相当し、ノズル洗浄用ノズル３がノズル洗浄装置に相当し、スケール防止物質供給装置３４がスケール防止剤供給装置に相当し、垂直磁場発生磁石５１４ａおよび水平磁場発生磁石５１４ｂが磁気発生手段に相当し、超音波振動子Ｓが超音波発生手段に相当する。
【０１１９】
【発明の効果】
本発明に係る衛生洗浄装置によれば、長期間にわたって人体洗浄ノズル装置を十分にかつ安定に洗浄および除菌することができるとともに洗浄および除菌のためのコストおよび手間が低減される。
【図面の簡単な説明】
【図１】本発明の一実施例に係る衛生洗浄装置を便器に装着した状態を示す斜視図
【図２】図１の遠隔操作装置の一例を示す模式的平面図
【図３】本発明の一実施例に係る衛生洗浄装置の本体部の構成を示す模式図
【図４】ノズル部の一部を示す外観斜視図
【図５】おしりノズルから人体の被洗浄面に向けて洗浄水が噴出される場合のノズル部の模式的断面図
【図６】ノズル洗浄用ノズルからノズル洗浄用高温水またはノズル洗浄用蒸気が噴出される場合のノズル部の模式的断面図
【図７】瞬間加熱装置の構造を示す一部切り欠き断面図
【図８】本発明の第２の実施例に係る衛生洗浄装置の一部の概略斜視図
【図９】本発明の第３の実施例に係る衛生洗浄装置の一部の模式図
【符号の説明】
１  おしりノズル
２  ビデノズル
３  ノズル洗浄用ノズル
３０  ノズル部
３３  瞬間加熱装置
３４  スケール防止物質供給装置
１００  衛生洗浄装置
５１４ａ  垂直磁場発生磁石
５１４ｂ  水平磁場発生磁石
Ｓ  超音波振動子
【図１】
2004270185.tif 000003
【図２】
2004270185.tif 000004
【図３】
2004270185.tif 000005
【図４】
2004270185.tif 000006
【図５】
2004270185.tif 000007
【図６】
2004270185.tif 000008
【図７】
2004270185.tif 000009
【図８】
2004270185.tif 000010
【図９】
2004270185.tif 000011